(57)【要約】【課題】使用される記録体（例えば転写紙）の種類が変わることによる画質変化を抑えることができる液体式画像形成装置を提供する。【解決手段】ユーザーによって操作タッチパネルに入力された紙種情報と、それまで記憶していた紙種情報とが異なった場合に、制御部に対して次のような制御を実施させるようにした。即ち、更新後の紙種情報について「コート紙」であるか否かを判断する（Ｓ２）。そして、「コート紙」であった場合には、コート紙用文字情報を上記操作タッチパネルに表示させる（Ｓ３）。一方、更新後の紙種情報が「コート紙」でなかった場合には、普通紙用文字情報を上記操作タッチパネルに表示させる（Ｓ４）。コート紙用文字情報、普通紙用文字情報は、それぞれプリンタ本体にセットされている現像器をコート紙用、普通紙用のものに交換する作業をユーザーに促し得る文字情報である。【選択図】　図４
2004029615.tif 000002
【特許請求の範囲】
【請求項１】
潜像を担持する潜像担持体と、液体中に現像物質を含有する液体現像剤を用いて該潜像担持体上の潜像を現像する現像手段と、該潜像担持体上で現像された可視像を記録体に転写せしめる転写手段とを備え、且つ、表面に担持した液体現像剤によって該潜像を現像する現像部材と、該現像部材に液体現像剤を供給する剤供給手段とを該現像手段に有する液体式画像形成装置において、
使用される上記記録体の種類情報を取得する種類情報取得手段と、該種類情報取得手段による取得結果に基づいて操作者に対して上記剤供給手段の少なくとも一部の交換作業を促し得る所定の情報を報知する情報報知手段とを設けたことを特徴とする液体式画像形成装置。
【請求項２】
請求項１の液体式画像形成装置であって、
上記所定の情報が、操作者に対して上記現像手段の交換作業を促し得る情報であることを特徴とする液体式画像形成装置。
【請求項３】
潜像を担持する潜像担持体と、液体中に現像物質を含有する液体現像剤を用いて該潜像担持体上の潜像を現像する現像手段と、該潜像担持体上で現像された可視像を記録体に転写せしめる転写手段とを備え、且つ、表面に担持した液体現像剤によって該潜像を現像する現像部材と、該現像部材に液体現像剤を供給する剤供給手段とを該現像手段に有する液体式画像形成装置において、
使用される上記記録体の種類情報を取得する種類情報取得手段と、上記剤供給手段の上記現像部材に対する単位表面積あたりの現像剤供給量を調整する量調整手段と、該種類情報取得手段による取得結果に基づいて該量調整手段を制御する量調整制御手段とを設けたことを特徴とする液体式画像形成装置。
【請求項４】
請求項３の液体式画像形成装置であって、
上記剤供給手段が、表面に担持した液体現像剤をその表面移動に伴って上記現像部材に塗布する剤塗布部材を有し、該剤塗布部材が、その表面に液体現像剤を保持するための複数の凹部を有し、且つ、上記現像手段が、該剤塗布部材の表面に担持された液体現像剤の層厚を規制する規制部材を有することを特徴とする液体式画像形成装置。
【請求項５】
請求項４の液体式画像形成装置であって、
上記量調整手段が、上記剤塗布部材の表面移動速度を変化させることで上記現像剤供給量を調整することを特徴とする液体式画像形成装置。
【請求項６】
請求項４の液体式画像形成装置であって、
上記剤供給手段が、互いに単位面積あたりにおける現像剤塗布量の異なる複数の上記剤塗布部材を有し、上記量調整手段が少なくともこれら複数の剤塗布部材を切替作動させて上記現像剤供給量を調整することを特徴とする液体式画像形成装置。
【請求項７】
請求項６の液体式画像形成装置であって、
上記剤供給手段が、上記現像剤塗布量の異なる複数の上記剤塗布部材として、それぞれ互いに単位面積あたりにおける凹部形成密度の異なるものを有することを特徴とする液体式画像形成装置。
【請求項８】
請求項１、２、３、４、５、６又は７の液体式画像形成装置であって、
上記種類情報取得手段が、上記記録体の種類を判別する種類判別手段であることを特徴とする液体式画像形成装置。
【請求項９】
請求項１、２、３、４、５、６又は７の液体式画像形成装置であって、
上記種類情報取得手段が、操作者による種類情報の入力操作がなされる種類情報入力手段であることを特徴とする液体式画像形成装置。
【請求項１０】
請求項１、２、３、４、５、６、７、８又は９の液体式画像形成装置において、
上記現像部材に現像電圧を供給する現像電圧供給手段と、上記種類情報取得手段による取得結果に基づいて該現像電圧供給手段からの出力電圧値を制御する電圧制御手段とを設けたことを特徴とする液体式画像形成装置。
【発明の詳細な説明】
【０００１】
【発明の属する技術分野】
液体中に現像物質を含有する液体現像剤を用いて画像を形成する複写機、ファクシミリ、プリンタ等の液体式画像形成装置に関するものである。
【０００２】
【従来の技術】
従来、感光体等の潜像担持体上に形成された潜像を現像する現像剤として、粉体トナー等の乾式現像剤と、液体中にトナー等の現像物質を含有する液体現像剤とが知られている。一般に、液体現像剤は乾式現像剤に比べてトナーの粒径を小さくすることができるため、高精細な画像を得ることができるという利点がある。よって、特に商用印刷と同等の画質が求められる場合には、乾式現像剤を用いる乾式画像形成装置よりも、液体現像剤を用いる液体式画像形成装置の方が適している。本出願人は、これまで、乾式画像形成装置よりも優れた画質が得られる液体式画像形成装置に係る発明を多数提案してきた。
【０００３】
【発明が解決しようとする課題】
しかしながら、液体式画像形成装置においても、記録体の種類によっては、所望の画質が得られ難いという問題が残されていた。具体的には、商用印刷で広く用いられているアート紙に代表されるコート紙など、表面平滑性に優れた記録体に画像を形成する場合には、粒径の小さなトナーによって非常に高繊細な画像を形成することができる。その一方で、複写機に一般的に用いられているコピー用紙に代表される上質紙や普通紙など、表面平滑性に比較的劣る記録体に画像を形成すると、高繊細な精細な画像が得られなかったり、画像濃度が低くなったりする。これは、粒径の小さなトナーが上質紙等の繊維内に入り込むことにより、上質紙等の表面を十分に被覆できなくなるからである。そこで、上質紙等の表面を十分量のトナーで被覆すべく現像時の現像剤量を増やしたとする。すると、今度は逆に、コート紙等を使用した場合に画像つぶれが生じたり、紙面上のトナー量が過多になることによって十分な定着性が得られなかったりする。
【０００４】
本発明は、以上の背景に鑑みなされたものであり、その目的とするところは、使用される記録体の種類が変わることによる画質変化を抑えることができる液体式画像形成装置を提供することである。
【０００５】
【課題を解決するための手段】
上記目的を達成するために、請求項１の発明は、潜像を担持する潜像担持体と、液体中に現像物質を含有する液体現像剤を用いて該潜像担持体上の潜像を現像する現像手段と、該潜像担持体上で現像された可視像を記録体に転写せしめる転写手段とを備え、且つ、表面に担持した液体現像剤によって該潜像を現像する現像部材と、該現像部材に液体現像剤を供給する剤供給手段とを該現像手段に有する液体式画像形成装置において、使用される上記記録体の種類情報を取得する種類情報取得手段と、該種類情報取得手段による取得結果に基づいて操作者に対して上記剤供給手段の少なくとも一部の交換作業を促し得る所定の情報を報知する情報報知手段とを設けたことを特徴とするものである。
また、請求項２の発明は、請求項１の液体式画像形成装置であって、上記所定の情報が、操作者に対して上記現像手段の交換作業を促し得る情報であることを特徴とするものである。
また、請求項３の発明は、潜像を担持する潜像担持体と、液体中に現像物質を含有する液体現像剤を用いて該潜像担持体上の潜像を現像する現像手段と、該潜像担持体上で現像された可視像を記録体に転写せしめる転写手段とを備え、且つ、表面に担持した液体現像剤によって該潜像を現像する現像部材と、該現像部材に液体現像剤を供給する剤供給手段とを該現像手段に有する液体式画像形成装置において、使用される上記記録体の種類情報を取得する種類情報取得手段と、上記剤供給手段の上記現像部材に対する単位表面積あたりの現像剤供給量を調整する量調整手段と、該種類情報取得手段による取得結果に基づいて該量調整手段を制御する量調整制御手段とを設けたことを特徴とするものである。
また、請求項４の発明は、請求項３の液体式画像形成装置であって、上記剤供給手段が、表面に担持した液体現像剤をその表面移動に伴って上記現像部材に塗布する剤塗布部材を有し、該剤塗布部材が、その表面に液体現像剤を保持するための複数の凹部を有し、且つ、上記現像手段が、該剤塗布部材の表面に担持された液体現像剤の層厚を規制する規制部材を有することを特徴とするものである。
また、請求項５の発明は、請求項４の液体式画像形成装置であって、上記量調整手段が、上記剤塗布部材の表面移動速度を変化させることで上記現像剤供給量を調整することを特徴とするものである。
また、請求項６の発明は、請求項４の液体式画像形成装置であって、上記剤供給手段が、互いに単位面積あたりにおける現像剤塗布量の異なる複数の上記剤塗布部材を有し、上記量調整手段が少なくともこれら複数の剤塗布部材を切替作動させて上記現像剤供給量を調整することを特徴とするものである。
また、請求項７の発明は、請求項６の液体式画像形成装置であって、上記剤供給手段が、上記現像剤塗布量の異なる複数の上記剤塗布部材として、それぞれ互いに単位面積あたりにおける凹部形成密度の異なるものを有することを特徴とするものである。
また、請求項８の発明は、請求項１、２、３、４、５、６又は７の液体式画像形成装置であって、上記種類情報取得手段が、上記記録体の種類を判別する種類判別手段であることを特徴とするものである。
また、請求項９の発明は、請求項１、２、３、４、５、６又は７の液体式画像形成装置であって、上記種類情報取得手段が、操作者による種類情報の入力操作がなされる種類情報入力手段であることを特徴とする。
また、請求項１０の発明は、請求項１、２、３、４、５、６、７、８又は９の液体式画像形成装置において、上記現像部材に現像電圧を供給する現像電圧供給手段と、上記種類情報取得手段による取得結果に基づいて該現像電圧供給手段からの出力電圧値を制御する電圧制御手段とを設けたことを特徴とするものである。
これらの発明において、請求項１の液体式画像形成装置の構成を備えるものでは、情報報知手段が種類情報取得手段による取得結果に基づいて、紙用される記録体の種類変更を判断する。そして、判断結果に基づいて所定の情報を報知することで、操作者に対して剤供給手段の少なくとも一部の交換作業を促す。かかる構成では、使用される記録体の種類が変更された場合に、その平滑性、紙繊維密度、コート層の有無などに応じた適切な現像剤供給量の剤供給手段（又はその一部）を操作者に知らせてその交換作業を促すことが可能である。具体的には、例えばコート紙等の表面平滑性に優れた記録体から、上質紙等の表面平滑性に劣る記録体に変更された場合に、それまでよりも多くの液体現像剤を現像部材に供給し得る剤供給手段に交換すべきであることを報知することができる。操作者がこの報知に基づいて剤供給手段を適切に交換すれば、表面平滑性に劣る記録体の表面の画像部を十分量の現像物質で覆って、高精細な画像を得たり、画像濃度の低下を抑えたりすることができる。また例えば、交換作業情報報知手段は、表面平滑性に劣る記録体から表面平滑性に優れた記録体に変更された場合に、それまでよりも少量の液体現像剤を現像部材に供給し得る剤供給手段に交換すべきであることを報知することもできる。操作者がこの報知に基づいて剤供給手段を適切に交換すれば、表面平滑性に優れた記録体の表面上における現像剤量の過多現象を軽減して、画像つぶれや定着性の悪化を抑えることができる。よって、使用される記録体の種類が変わることによる画質変化を抑えることができる。
また、請求項３の液体式画像形成装置の構成を備えるものでは、量調整制御手段が、種類情報取得手段によって取得された記録体の種類情報に基づいて量調整手段を制御して、剤供給手段から現像部材への現像剤供給量を調整する。かかる調整では、操作者に剤供給手段（又はその一部）を交換させるといった手間を負わせることなく、使用される記録体の平滑性、紙繊維密度、コート層の有無などに応じて、現像剤供給量を適切に調整することが可能になる。具体的には、例えば上質紙等の表面平滑性に劣る記録体が使用される場合に、コート紙等の表面平滑性に優れた記録体が使用される場合よりも多くの液体現像剤を現像部材に供給して現像に寄与する現像剤量を増やすことが可能になる。そうすると、表面平滑性に劣る記録体の表面の画像部を十分量の現像物質で覆って、高精細な画像を得たり、画像濃度の低下を抑えたりすることができる。また例えば、表面平滑性に優れた記録体が使用される場合には、表面平滑性に劣る記録体が使用される場合よりも少量の液体現像剤を現像部材に供給して現像に寄与する現像剤量を減らすことも可能になる。そうすると、表面平滑性に優れた記録体の表面上における現像剤量の過多現象を軽減して、画像つぶれや定着性の悪化を抑えることができる。よって、操作者に対して剤供給手段（又はその一部）を交換させるといった手間を負わせることなく、使用される記録体の種類が変わることによる画質変化を抑えることができる。
【０００６】
【発明の実施の形態】
以下、本発明を適用した液体式画像形成装置である電子写真方式の液体式プリンタ（以下、単にプリンタという）の第１実施形態について、反転現像によって画像を形成する場合を例にして説明する。
まず、本第１実施形態に係るプリンタの基本的な構成について説明する。図１は、本プリンタの要部を示す概略構成図である。図において、このプリンタは、潜像担持体たるドラム状の感光体１の周りに様々な装置を備えている。帯電器２０、露光Ｌを感光体１に照射する図示しない露光装置、現像装置１００、中間転写ベルト３１や転写ローラ３２等によって構成される転写装置、除電ランプ４０、ドラムクリーニング装置５０などを備えている。
【０００７】
潜像担持体たる上記感光体１は、その表面がアモルファスシリコン（ａ−Ｓｉ）によって形成され、プリント時には図示しない駆動手段によって図中矢印方向に一定速度で回転駆動せしめられる。そして、上記帯電器２０からのコロナ放電によって暗中にて例えば６００［Ｖ］に一様帯電せしめられる。上記露光装置は、走査光学系を備えており、一様に帯電した感光体１の表面を、画像情報に基づいてＬＥＤ光やレーザ光によって露光する。感光体１の露光部分は、電位が減衰せしめられて５０［Ｖ］以下の静電潜像となる。この静電潜像は、キャリア液中に現像物質たるトナーを含有する液体現像剤を用いる現像器１０９によって可視像に現像される。なお、感光体として、有機感光体（ＯＰＣ）を用いることもできる。また、帯電器２０として、このようにコロナ放電による帯電を実現するものの他、感光体１に接触せしめた帯電ローラ等の帯電部材に所定の帯電バイアスを印加する方式のものなどを用いることもできる。
【０００８】
上記転写装置は、中間転写ベルト３１、これを張架する転写ローラ３２や複数の張架ローラ３３、転写ローラ３２にトナーの帯電極性とは逆極性の転写バイアスを印加する図示しない電源などを備えている。そして、プリント時には中間転写ベルト３１を図中矢印方向に無端移動させる。転写ローラ３２は、中間転写ベルト３１を介して感光体１を押圧して中間転写ニップを形成している。この中間転写ニップには、上記転写バイアスが印加される転写ローラ３２と感光体１の表面との電位差によって転写電界が形成される。感光体１の回転に伴って中間転写ニップに進入した上記トナー像は、この転写電界やニップ圧の作用を受けて中間転写ベルト３１上に中間転写される。なお、転写装置としては、このような転写ローラによる転写法を用いるものの他、コロナ放電、粘着、熱等による転写法を用いるものなどを採用することも可能である。なお、この転写装置は、後述の２次転写ローラなどとともに、記録体たる転写紙に可視像を転写する転写手段を構成している。
【０００９】
上記中間転写ベルト３１のおもて面（図中下側面）には、図示しない領域において２次転写ローラが当接して２次転写ニップを形成している。この２次転写ローラには、図示しない電源によって２次転写バイアスが印加されている。また、本第１実施形態に係るプリンタは、記録紙たる転写紙を複数枚収容する給紙カセットや、レジストローラ対などを図示しない領域に備えている。給紙カセットは、内部に収容している転写紙を所定のタイミングで上記レジストローラ対に向けて給紙する。上記レジストローラ対は、給紙カセットから送られてきた転写紙をローラ間に挟み込んだ後、タイミングを見計らって上記２次転写ニップに向けて送り出す。これにより、上記２次転写ニップにおいて、中間転写ベルト３１上の可視像に転写紙が密着せしめられる。そして、上記２次転写バイアスやニップ圧の影響を受けて、中間転写ベルト３１状の可視像が転写紙上に２次転写された後、加熱加圧定着、溶剤定着、ＵＶ定着等の定着方式を用いる図示しない定着装置に送られる。この定着装置の内部でトナー像が定着せしめられた転写紙は、排紙経路を経て機外へと排出される。
【００１０】
上記中間転写ニップを通過した感光体１表面は、上記除電ランプ４０によって残留電荷が除電された後、表面に残留している液体現像剤が上記ドラムクリーニング装置５０によってクリーニングされる。このクリーニングにより、感光体１の表面は初期化せしめられ、次の作像を実現することが可能になる。
【００１１】
上記現像装置１００は、現像手段たる現像器１０９と、スイープ器１１２とから構成されている。現像器１０９は、タンク部１０１、攪拌スクリュー１０２、１０３、アニロクスローラ１０４、規制ブレード１０５、現像ローラ１０６、クリーニングブレード１０７、帰還部１０８等を有している。また、スイープ器１１２は、スイープローラ１１０、クリーニングブレード１１１等を有している。
【００１２】
上記現像器１０９のタンク部１０１には、液体キャリア中に正極性に帯電したトナーを高濃度に含有する液体現像剤６０が貯留されている。この液体現像剤６０は、一般の現像装置に広く用いられている低粘性低濃度のものではなく、高粘性高濃度のものが使用されている。低粘性低濃度の液体現像剤とは、例えば、広く市場に出回っているＩｓｏｐａｒ（登録商標）と呼ばれる絶縁性液体キャリア中に、１［ｗｔ％］程度の濃度のトナーを含有する粘度１［ｃＳｔ］程度のものである。これに対し、高粘性高濃度の液体現像剤は、例えば、シリコーンオイル、ノルマルパラフィン、ＩｓｏｐａｒＭ（登録商標）、植物油、鉱物油等の絶縁性液体キャリア中に、トナーを高濃度に含有している。具体的には、トナーを約５〜４０［ｗｔ％］含有し、粘度が５０〜５０００［ｃＳｔ］程度になっている。このような高粘性高濃度の液体現像剤６０の揮発性あるいは不揮発性については、現像器１０９の現像特性やプリンタの作像特性などに合わせて調整されている。また、液体現像剤６０中のトナーの粒径についても、これら現像特性や作像特性などに合わせてサブミクロンから６［μｍ］程度までの範囲で調整されている。
【００１３】
上記現像器１０９の攪拌スクリュー１０２、１０３は、タンク部１０１内の液体現像剤６０中に浸るように互いに平行配設され、図中矢印で示されるように、図示しない駆動手段によって互いに逆方向に回転駆動せしめられる。現像器１０９が現像動作に入ると、これらスクリュー１０２、１０３がこのように互いに逆回転し、タンク部１０１内の液体現像剤６０が攪拌せしめられる。この攪拌により、液体現像剤６０は、そのトナー濃度や粘度が均一化する。また、スクリュー１０２、１０３が互いに逆回転することで、両者の間で図示のように液体現像剤６０の液面が盛り上がり、その上方に配設されたアニロクスローラ１０４に付着する。
【００１４】
上記現像器１０９の剤塗布部材たる上記アニロクスローラ１０４は、図示しない駆動手段によって図中矢印方向に回転駆動せしめられながら、タンク部１０１内の液体現像剤６０を汲み上げる。このアニロクスローラ１０４の周面には、図２（ａ）に示すようなスパイラル状の溝線パターンＬｄが１００〜２００［ｌｐｉ］の細かさで彫刻されている。この溝線パターンＬｄ内には、図２（ｂ）に示すようなピラミッド型、図２（ｃ）に示すような格子型、図２（ｄ）に示すような傾斜型などの形状の凹部Ｃｐが溝線方向に複数並ぶように形成されている。アニロクスローラ１０４によって汲み上げられる液体現像剤６０の一部は、これら凹部Ｃｐ内に収容される。
【００１５】
先に示した図１において、現像器１０９の規制部材たる上記規制ブレード１０５は、ステンレス等の金属で形成されている。そして、回転するアニロクスローラ１０４に当接することで、アニロクスローラ１０４によって汲み上げられた液体現像剤６０の量を規制する。この規制により、アニロクスローラ１０４上の液体現像剤６０の量が複数の凹部Ｃｐの容量に応じた値に正確に計量される。なお、アニロクスローラ１０４による現像剤塗布量は、上記凹部Ｃｐの容積、単位表面積あたりの上記凹部Ｃｐの形成密度、アニロクスローラ１０４と現像ローラ１０７との速度比などに依存する。
【００１６】
上記現像器１０９の現像部材たる現像ローラ１０７は、液体現像剤６０の量が規制された後のアニロクスローラ１０４表面に接触しながら、アニロクスローラ１０４の回転方向に対してカウンター方向に回転するように構成されている。現像ローラ１０７とアニロクスローラ１０４との接触位置では、両ローラが互いにカウンター方向に回転しながら接触する。そして、正確に計量された液体現像剤６０が、現像ローラ１０７にまとわり付くことなく均一な厚みで塗布される。このような塗布により、現像ローラ１０７の表面には液体現像剤６０からなる均一な厚みの現像剤薄層が形成される。かかる現像剤薄層を形成する現像器１０９においては、アニロクスローラ１０４や、これに回転駆動力を伝える駆動伝達系などにより、現像部材たる現像ローラ１０７に液体現像剤６０を供給する剤供給手段が構成されている。
【００１７】
上記現像ローラ１０７に塗布する現像剤量については、上記現像剤薄層１［ｃｍ２］当たりに換算して、０．５［ｍｇ］以上、１．５ｍｇ以下に設定することが望ましい。０．５［ｍｇ］よりも少なくすると、十分量のトナー顔料成分を感光体１の静電潜像に付着させることができず、十分な画像濃度が得られなくなるおそれがあるからである。また、１．５［ｍｇ］よりも多くすると、現像ニップ通過後の感光体１の非画像部に残留させるカブリトナー量が多くなり、後述のカブリトナーをスィープローラ１１０によって十分に除去することができなくなるからである。現像ローラ１０７上に形成する現像剤薄層の厚みについては、３〜１５［μｍ］に設定するとよい。５〜１２［μｍ］に設定すると更に良好である。
【００１８】
現像ローラ１０７は、その周面に導電性のウレタンゴム等からなる導電弾性層を備えており、感光体１と等速に回転しながらこれに接触して現像ニップを形成している。また、図示しない現像バイアス電源回路から現像バイアスが印加される。この現像バイアスは、トナーの帯電極性と同じ正極性で且つ感光体１の一様帯電電位よりも小さい値（例えば５００Ｖ）に設定されている。現像ニップでは、現像ローラ１０７、感光体１の地肌部、静電潜像がそれぞれトナーと同極性の電位を帯びる。加えて、地肌部、現像ローラ１０７、静電潜像の順で値が小さくなる（６００Ｖ、５００Ｖ、５０Ｖ）。このため、上記地肌部と現像ローラ１０７との間では、トナーに対して電位のより小さい現像ローラ１０７に向けて静電的に移動させるような非現像ポテンシャルが作用する（６００Ｖ←５００Ｖ）。また、現像ローラ１０７と静電潜像との間では、トナーを電位のより低い静電潜像に向けて移動させるような現像ポテンシャルが作用する（５００Ｖ→５０Ｖ）。よって、現像ニップにおいては、上記現像剤薄層中のトナーが、現像ローラ１０７と上記地肌部との間で現像ローラ１０７の表面に向けて電気泳動して集結する。この一方で、現像ローラ１０７と静電潜像との間で静電潜像に向けて電気泳動して付着する。そして、この付着によって静電潜像が現像されて可視像となる。
【００１９】
上記現像器１０９のクリーニングブレード１０７は、金属やゴム等の部材から構成され、上記現像ニップを通過した後の現像ローラ１０７の表面に当接して残留現像剤を掻き取り除去する。この除去により、現像ローラ１０７の表面が初期化せしめられる。除去された残留現像剤は、上記帰還部１０８を経由して上記タンク部１０１に戻る。
【００２０】
現像器１０９の上記現像ニップにおいて、現像ローラ１０７と感光体１の地肌部との間に位置するトナーは、現像ローラ１０７の表面に向けて上記現像剤薄層中を電気泳動して集結するため、基本的には地肌部に付着しない。しかし、通常よりも帯電量の少ないトナーが他のトナーよりも遅れて電気泳動するなどして、地肌部に付着していわゆるカブリ（地汚れともいう）という現象を引き起こす場合がある。上記スイープ器１１２は、かかるカブリを引き起こしたカブリトナーを感光体１から除去するためのものである。具体的には、スイープ器１１２の上記スイープローラ１１０は、その周面に導電性のウレタンゴム等からなる導電弾性層が設けられており、感光体１と等速に回転しながらこれに接触して除去ニップを形成している。この除去ニップには、図示しない電源からトナーの帯電極性と同極性の除去バイアスが印加されるスイープローラ１１０と、感光体１との電位差によってスイープ電界が形成される。具体的には、この除去ニップにおいては、スイープローラ１１０、上記地肌部及び静電潜像がそれぞれトナーと同極性の電位を帯び、その値が地肌部、スイープローラ１１０、静電潜像の順に低くなっている。このため、上記現像ニップで現像ローラ１０７の表面に集結しきれなかったカブリトナーが、上記地肌部とスイープローラ１１０との間でスイープローラ１１０に向けて電気泳動して感光体１表面から除去される。
【００２１】
上記スイープ器１１２のクリーニングブレード１１１は、金属やゴム等の部材から構成され、上記除去ニップを通過した後のスイープローラ１１０の表面に当接することで、残留現像剤を掻き取り除去する。この除去により、スイープローラ１１０表面が初期化せしめられる。なお、現像器１０９のクリーニングブレード１０７、スイープ器１１２のクリーニングブレード１１１に代えて、それぞれローラ方式など他の方式によるクリーニング手段を設けてもよい。
【００２２】
上記現像ローラ１０７、スイープローラ１１０には、それぞれコーティングやチューブ被覆などによって導電性且つ弾性の表面層（例えばウレタンゴム表面層）が形成されている。この表面層の材料については、ＪＩＳ−Ａ硬度で５０［度］以下のものを用いることが望ましい。所望の幅の上記現像ニップや除去ニップを確保するためには、表面層を５０［度］以下の硬度で形成して自在に変形させる必要があるからである。幅広い現像ニップや除去ニップを形成させれば、トナーを十分に電気泳動させ得る時間を確保することができる。表面層の材種については、導電性のウレタンゴムに限らず、導電性を発揮し且つ液体キャリアによって膨潤したり溶解したりするおそれのないものであればよい。なお、弾性に富む表面層を現像ローラ１０７やスィープローラ１１０に設けるのではなく、感光体１に設けてもよい。また、感光体１を無端ベルト状部材で構成して幅広い現像ニップを確保するようにしてもよい。現像ローラ１０７やスイープローラ１１０に弾性に富む表面層を設ける代わりに、弾性に富む下層を設けてもよい。但し、かかる下層を設ける場合には、表層を導電性で且つ液体キャリアによって膨潤したり溶解したりしない材料で構成し、上記現像バイアスやスイープバイアスをこれらローラの軸部ではなく、この表層に印加する必要がある。また、表面層又は下層を弾性材料で構成しなくても所望の幅の現像ニップや除去ニップを得ることができれば、非弾性材料で構成してもよい。
【００２３】
以上の構成の本プリンタにおいて、上記現像ニップにおける静電潜像の現像濃度や、転写紙上に転写される上記トナー像の画像濃度は、現像ローラ１０７上に塗布される現像剤量に依存する。
【００２４】
ところで、一般に、電子写真方式の画像形成装置の現像装置は、十分なトナーを感光体に対向する現像位置に搬送すべく、現像ローラの表面移動速度が感光体の表面移動速度よりも速めに設定されている。かかる設定では、現像ローラ上のトナーが感光体表面よりも早く移動するため、現像位置にてトナーと感光体上の静電潜像との位置関係が逐次変化する。そして、このことのより、画像の先端がかすれたり、縦線画像と横線画像とのバランスが悪くなったりすることがある。これらかすれやバランスの悪化は、乾式画像形成装置だけでなく、液体式画像形成装置でも起こり得る。そこで、本プリンタでは、現像ローラ１０７の線速と、感光体１の線速とを等速に設定し、現像ローラ１０７上のトナーに対して感光体１上の静電潜像との接線方向における相対的な速度ベクトル差を発生させていない。このことにより、線速差による画像の先端かすれや、縦線画像と横線画像とのバランスの悪化を回避している。
【００２５】
次に、本第１実施形態に係るプリンタの特徴的な構成について説明する。
現像装置１００の現像器１０９は、プリンタ本体に対して着脱可能に構成されており、コート紙用、普通紙用という２種類のものが用意されている。但し、プリンタ本体にセットされるのは図１に示したように１つだけである。現像器１０９の種類の違いは、次の表１に示すようにアニロクスローラ１０４の違いによるものである。
【表１】
2004029615.tif 000003
表１のように、本プリンタでは、現像ローラ線速、アニロクスローラ線速がそれぞれ３００、４００［ｍｍ／ｓｅｃ］に設定されている。このような線速設定において、コート紙用現像器のアニロクスローラ（１０４）は、その溝線パターンＬｄが１２０［ｌｐｉ］の密度で形成され、現像ローラ１０７に対する現像剤塗布量が０．７［ｍｇ／ｃｍ２］になっている。これに対し、普通紙用現像器のアニロクスローラ（１０４）は、その溝線パターンＬｄが１４０［ｌｐｉ］の密度で形成され、現像ローラ１０７に対する現像剤塗布量が１．０［ｍｇ／ｃｍ２］になっている。普通紙用現像器のアニロクスローラ（１０４）の方が、コート紙用現像器のものよりも単位面積あたりにおける凹部形成密度が高いことで、現像剤塗布量が多くなっているのである。
【００２６】
図３は、本プリンタの電気回路の一部を示すブロック図である。図３において、制御部２００は、図示しないＣＰＵ等の演算手段と、ＲＡＭやＲＯＭ等からなるデータ記憶手段とを備えており、操作タッチパネル２０１が接続されている。この操作タッチパネル２０１は、液晶タッチパネル等からなり、ユーザーに対して所定の情報をディスプレイ表示しながら、タッチパネルにフィンガータッチされることでユーザーからの入力情報を受け付ける。この操作タッチパネル２０１に対しては、ユーザーにより、上記給紙カセット内にセットされた転写紙について普通紙又はコート紙の何れであるかを示す紙種情報が入力される。制御部２００は、その記憶手段に紙種情報を記憶しており、ユーザーによるタッチパネル入力操作に基づいて記憶手段内の紙種情報を変更する。かかる構成の操作タッチパネル２０１は、ディスプレイ表示によって操作者たるユーザーに対して所定の情報を報知する情報報知手段として機能する。また、ユーザーからのタッチパネル操作入力によって転写紙の種類情報たる紙種情報を取得する種類情報取得手段（種類情報入力手段）としても機能する。
【００２７】
図４は、上記制御部（２００）によって実施される紙種情報変更制御のフローを示すフローチャートである。この紙種情報変更制御は、ユーザーによって上記操作タッチパネル（２０１）に入力された紙種情報と、それまで上記制御部（２００）の上記記憶手段に記憶されていた紙種情報とが異なった場合に実施される。そして、まず、上記記憶手段内の紙種情報が新たに入力されたものに更新された後（ステップ１：以下、ステップを「Ｓ」と記す）、更新後の紙種情報について「コート紙」であるか否かが判断される（Ｓ２）。ここで、更新後の紙種情報が「コート紙」であった場合には（Ｓ２でＹ）、上記制御部（２００）はコート紙用文字情報を上記操作タッチパネル（２０１）に表示させる（Ｓ３）。このコート紙用文字情報は、プリンタ本体にセットされている上記現像器（１０９）を普通紙用のものからコート紙用のものに交換する作業をユーザーに促し得る文字情報である。例えば、「プリンタ本体にセットされている現像器をコート紙用のものに交換してください。」や、「コート紙にはコート紙用現像器が適しています。」などといった文字情報である。一方、更新後の紙種情報が「コート紙」でなかった場合には（Ｓ２でＮ）、上記制御部（２００）は普通紙用文字情報を上記操作タッチパネル（２０１）に表示させる（Ｓ４）。この普通紙用文字情報は、プリンタ本体にセットされている上記現像器（１０９）をコート紙用のものから普通紙用のものに交換する作業をユーザーに促し得る文字情報である。例えば、「プリンタ本体にセットされている現像器を普通紙用のものに交換してください。」や、「普通紙には普通紙用現像器が適しています。」などといった文字情報である。
【００２８】
以上の構成の本プリンタにおいては、ユーザーのタッチパネル入力操作に基づいて上記紙種情報が「普通紙」から「コート紙」に更新されると、上記操作タッチパネル（２０１）にコート紙用文字情報を表示する。表示されたコート紙用文字情報に基づいてユーザーが上記現像器（１０９）を普通紙用のものからコート紙用のものに交換すれば、上記現像ニップにそれまでよりも少量の液体現像剤を搬送することができる。そして、このことにより、表面平滑性に優れたコート紙の表面上における現像剤量の過多現象を軽減して、画像つぶれや定着性の悪化を抑えることができる。一方、本プリンタは、ユーザーのタッチパネル入力操作に基づいて上記紙種情報が「コート紙」から「普通紙」に更新されると、上記操作タッチパネル（２０１）に普通紙用文字情報を表示する。表示された普通紙用文字情報に基づいてユーザーが上記現像器（１０９）をコート紙用のものから普通紙用のものに交換すれば、上記現像ニップにそれまでよりも多くの液体現像剤を搬送することができる。そして、このことにより、表面平滑性に劣る普通紙の画像部を十分量のトナーで覆って、高精細な画像を得たり、画像濃度の低下を抑えたりすることができる。以上のような現像器交換作業により、使用される転写紙の種類が変わることによる画質変化を抑えることができる。
【００２９】
なお、文字情報に代えて画像情報を表示させたり、音声情報を発信させたりしてもよい。また、上記コート紙用文字情報や普通紙用文字情報として、上記現像器（１０９）の交換ではなく、上記アニロクスローラ（１０４）の交換をユーザーに促し得る情報を、上記操作タッチパネル（２０１）に表示させるようにしてもよい。少なくとも剤供給手段の一部である上記アニロクスローラ（１０４）が交換されれば、上記現像ローラ（１０７）への現像剤塗布量（ひいては上記現像ニップへの現像剤搬送量）が適切に調整されるからである。但し、この場合、ユーザーは、プリンタ本体に対する現像器（１０９）の着脱作業に加えて、現像器（１０９）に対するアニロクスローラ（１０４）の着脱という非常に厄介な作業を行う必要がある。
【００３０】
また、現像剤塗布量を溝線パターン形成密度（単位面積あたりにおける凹部形成密度）の違いによって異ならせた各アニロクスローラについて説明したが、各凹部（Ｃｐ）の深さの違いによって異ならせても良い。このようにして現像剤塗布量を異ならせた２つのアニロクスローラの例を次の表２に示す。
【表２】
2004029615.tif 000004
【００３１】
表２に示すように、アニロクスローラ▲１▼は、上記溝線パターン（Ｌｄ）内の凹部容量が２７．５４［ｃｍ３／ｃｍ２］に設定されており、現像剤塗布量が０．７［ｍｇ／ｃｍ２］になる。これに対し、アニロクスローラ▲２▼は、凹部容量が３５．００［ｃｍ３／ｃｍ２］に設定されており、現像剤塗布量が１．０［ｍｇ／ｃｍ２］になる。両者の溝線パターン形成密度はともに１２０［ｌｐｉ］で、凹部深さの違いによってそれぞれの凹部容量が異なっている。アニロクスローラ▲１▼における凹部（Ｃｐ）の方が、アニロクスローラ▲２▼のものよりも浅くなっているのである。
【００３２】
次に、本発明を適用した第２実施形態のプリンタについて説明する。なお、このプリンタの基本的な構成については、上記第１実施形態のプリンタのものと同様であるので説明を省略する。
図５は、本第２実施形態に係るプリンタの電気回路の一部を示すブロック図である。図において、アニロクスモータ２０４は、上記アニロクスローラ（１０４）の動力源である。このアニロクスモータ２０４には、電源２０２からの電気がインバータ回路２０３を介して供給される。制御部２００は、その制御信号によってインバータ回路２０３からの出力周波数を変化させることで、アニロクスモータ２０４の回転速度を変化させる。アニロクスモータ２０４の回転速度が変化すれば、当然ながら上記アニロクスローラ（１０４）の回転速度が変化する。そして、これに伴って上記現像ローラ（１０７）に対する現像剤塗布量が変化する。制御部２００は、このようにして上記現像ローラ（１０７）に対する現像剤塗布量を調整することができる。なお、操作タッチパネル２０１は、上記第１実施形態のプリンタのものと同様に、種類情報入力手段として機能する。
【００３３】
図６は、上記制御部（２００）によって実施される紙種情報変更制御のフローを示すフローチャートである。この紙種情報変更制御は、ユーザーによって上記操作タッチパネル（２０１）に入力された紙種情報と、それまで上記制御部（２００）の上記記憶手段に記憶されていた紙種情報とが異なった場合に実施される。そして、まず、上記記憶手段内の紙種情報が新たに入力されたものに更新された後（Ｓ１）、更新後の紙種情報について「コート紙」であるか否かが判断される（Ｓ２）。ここで、更新後の紙種情報が「コート紙」であった場合（Ｓ２でＹ）、上記制御部（２００）は、上記アニロクスモータ２０４の回転速度を低速設定した後に（Ｓ３）、一連の制御フローを終える。このようにして制御フローを終えた制御部（２００）は、以降の画像形成プロセスにおいて、上記アニロクスローラを低速回転させるような制御信号を上記インバータ回路（２０３）に出力する。一方、更新後の紙種情報が「コート紙」でなかった場合（Ｓ２でＮ）、上記制御部（２００）は、上記アニロクスモータ２０４の回転速度を高速設定した後に（Ｓ４）、一連の制御フローを終える。このようにして制御フローを終えた制御部（２００）は、以降の画像形成プロセスにおいて、上記アニロクスローラを高速回転させるような制御信号を上記インバータ回路（２０３）に出力する。
【００３４】
以上の構成の本プリンタにおいては、上記電源（２０２）、インバータ回路（２０３）等が、上記現像ローラ（１０７）に対する現像剤供給量（現像剤塗布量）を調整する量調整手段として機能している。また、上記制御部（２００）が、種類情報取得手段たる上記操作タッチパネル（２０１）による紙種情報の取得結果に基づいて量調整手段を制御する量調整制御手段として機能している。そして、紙種情報に基づいて上記アニロクスローラ（１０４）の回転速度を変化させることで、上記現像ローラ（１０７）に対する現像剤塗布量を調整制御する。詳しくは、ユーザーのタッチパネル入力操作に基づいて上記紙種情報が「普通紙」から「コート紙」に更新されると、画像形成プロセスで上記アニロクスローラ（１０４）を低速回転させる。この低速回転により、上記現像ニップにそれまでよりも少量の液体現像剤が搬送されるようになる。そして、このことにより、表面平滑性に優れたコート紙の表面上における現像剤量の過多現象が軽減されて、画像つぶれや定着性の悪化が抑えられる。一方、ユーザーのタッチパネル入力操作に基づいて上記紙種情報が「コート紙」から「普通紙」に更新されると、画像形成プロセスにおいて上記アニロクスローラ（１０４）が高速回転される。この高速回転により、上記現像ニップにそれまでよりも多くの液体現像剤が搬送されるようになる。そして、このことにより、表面平滑性に劣る普通紙の画像部が十分量のトナーで覆われて、高精細な画像が得られたり、画像濃度の低下が抑えられたりする。このような現像剤塗布量の調整制御により、ユーザーに対してアニロクスローラや現像器の交換作業という厄介な手間を負わせることなく、使用される転写紙の種類が変わることによる画質変化を抑えることができる。
【００３５】
図７は、互いに上記凹部（Ｃｐ）の深さが異なる２つのアニロクスローラＡ，Ｂの回転速度と、現像剤塗布量との関係を示すグラフである。図において、アニロクスローラＡは、その上記凹部（Ｃｐ）の深さがアニロクスローラＢのものよりも小さくなっている。両ローラの溝線パターン形成密度は同じである。両ローラともに、上記現像ローラ（１０７）よりも低い回転速度で回転すると、現像ローラ表面に塗布ムラを発生させることがわかる。よって、アニロクスローラ（１０４）については、上記現像ローラよりも速い速度領域（線速領域）で回転速度変化させることが望ましい。但し、注目すべき点は、回転速度４５０［ｍｍ／ｓｅｃ］を超えた領域において、両アニロクスローラの現像剤塗布量が逆転することである。このことより、上記凹部（Ｃｐ）の深さが大きくなるほど、高速回転領域における液体現像剤の塗布効率が悪くなることがわかる。従って、アニロクスローラ（１０４）の回転速度変化によって現像剤塗布量を調整する場合には、高速回転領域での塗布効率の低下を抑えるべく、できるだけ上記凹部（Ｃｐ）の深さを小さくしたアニロクスローラ（１０４）を用いることが望ましい。
【００３６】
なお、上記インバータ回路（２０３）からの出力周波数によって上記アニロクスローラ（１０４）の回転速度（表面移動速度）を調整する例について説明したが、他の方法による調整を採用してもよい。例えば、上記アニロクスモータ（２０４）から上記アニロクスローラ（１０４）に駆動力を伝える駆動伝達系のギヤ比を変化させることによる回転速度の調整であってもよい。また例えば、上記アニロクスモータ（２０４）としてステッピングモータを用い、これを駆動させるモータドライバからのステップパルス数を変化させることによる回転速度の調整であってもよい。
【００３７】
次に、本第２実施形態のプリンタの変形例装置について説明する。
液体式画像形成装置においては、先に図７に示したように、上記アニロクスローラ（１０４）の回転速度を低め過ぎると、上記現像ローラ（１０７）への塗布ムラを引き起こすことが知られている。また、図７では５００［ｍｍ／ｓｅｃ］の回転速度までしか示していないが、回転速度を高め過ぎても、その表面から液体現像剤を飛散させるなどして塗布ムラを引き起こしてしまう。よって、塗布ムラを回避しつつ、アニロクスローラ（１０４）の回転速度変化によって現像剤塗布量を調整する場合には、その調整範囲が限られてしまう。すると、紙種の変化に十分に対応することができなくなるおそれがある。そこで、本変形例装置は、アニロクスローラ（１０４）の回転速度の変化によらず、現像剤塗布量を調整するよう構成されている。
【００３８】
図８は、本変形例装置における現像器１０９と感光体１とを示す要部構成図である。図において、現像手段たる現像器１０９は、アニロクスローラとして、第１アニロクスローラ１０４ａと、第２アニロクスローラ１０４ｂとの２つを有している。また、規制部材たる規制ブレードとして、これらに個々に対応する第１規制ブレード１０５ａと、第２規制ブレード１０５ｂとの２つを有している。
【００３９】
第１アニロクスローラ１０４ａは、先に表１に示したコート紙用現像器のアニロクスローラと同様の構成である。また、第２アニロクスローラ１０４ｂは、先に表１に示した普通紙用現像器のアニロクスローラと同様の構成である。これら第１アニロクスローラ１０４ａ、第２アニロクスローラ１０４ｂは、図示しないローラ接離機構によってそれぞれ感光体１に対して別々に接離せしめられる。図８では、第１アニロクスローラ１０４ａが感光体１に接触して塗布動作を行う一方で、第２アニロクスローラ１０４ｂが感光体１から離間して塗布動作を行わない例を示している。第１規制ブレード１０５ａ、第２規制ブレード１０５ｂは、それぞれ対応する方のアニロクスローラがローラ接離動作によって動いてもそのアニロクスローラとの当接状態を維持するように、ブレード支持部材を中心に回動する。
【００４０】
図９は、本変形例装置の電気回路の一部を示すブロック図である。図示しないＣＰＵ等の演算手段と、ＲＡＭやＲＯＭ等からなるデータ記憶手段とを備えている制御部２００には、第１接離ソレノイド１１３、第２接離ソレノイド１１４などが接続されている。また、紙種判別手段２０６、現像バイアス電源回路２０５なども接続されている。
【００４１】
上記第１接離ソレノイド１１３、第２接離ソレノイド１１４は、それぞれ上記現像ローラ（１０７）に対してアニロクスローラ（１０４ａ，ｂ）を接離させる上記ローラ接離機構の一部を構成している。第１接離ソレノイド１１３が制御部２００の制御によって作動（又は停止）すると、上記第１アニロクスローラ（１０４ａ）が上記現像ローラ（１０７）に対して接触（又は離間）する。また、第２接離ソレノイド１１４が作動（又は停止）すると、上記第２アニロクスローラ（１０４ｂ）が上記現像ローラ（１０７）に対して接触（又は離間）する。
【００４２】
上記現像バイアス電源回路２０５は、上記現像ローラ（１０７）に現像電圧たる現像バイアスを供給する回路であり、現像電圧供給手段としての機能を発揮する。制御部２００は、この現像バイアス電源回路２０５に制御信号を送信することで、上記現像ローラ（１０７）への現像バイアスの出力値（現像バイアス値）や、その出力のＯＮ／ＯＦＦを制御することができる。
【００４３】
上記紙種判別手段２０６は、上記給紙カセット内に収容されている転写紙の種類を判別してその信号を制御部２００に出力する。このような紙種判別手段としては、上記給紙カセット内の転写紙のセット位置に基づいて紙種を判別するものなどが挙げられる。具体的には、例えばＡ４サイズ同士など、同じサイズの転写紙であっても、上記給紙カセット内における平面的なセット位置の違いを検知する位置検知センサ等が挙げられる。カセット左隅、カセット右隅などというセット位置をユーザーが紙種に応じて異ならせ、紙種判別手段２０６がその違いに基づいて普通紙、コート紙などといった紙種の違いを判別するのである。また例えば、上記給紙カセットに数［ｃｍ］の厚みでセットされる転写紙束の側面に印刷された紙種情報のバーコードを読み取るものでもよい。本変形例装置は、このような紙種判別手段２０６を備えることにより、ユーザーに対して紙種情報を入力させるといった手間を負わせることなく、紙種に応じて現像剤塗布量を調整することができる。一方、上記操作タッチパネル（２０１）などを用いてユーザーの入力操作に基づいて紙種情報を取得するものでは、センサでは検知することのできないきめ細かい情報も取得することができる。例えば、平滑性の度合いや紙繊維密度などといった情報でも取得が可能である。
【００４４】
図１０は、上記現像器（１０９）の現像特性を示すグラフである。このグラフにおける縦軸、横軸は、それぞれ現像率［％］、現像バイアス値を示している。グラフには２つの曲線が描かれているが、一方は、上記現像ローラ（１０７）に対する現像剤塗布量が０．７［ｍｇ／ｃｍ２］のとき、即ち上記第１アニロクスローラ（１０４ａ）だけが塗布動作を行うときの特性を示している。また、もう一方は、上記現像ローラ（１０７）に対する現像剤塗布量が１．０［ｍｇ／ｃｍ２］のとき、即ち上記第２アニロクスローラ（１０４ｂ）だけが塗布動作を行うときの特性を示している。図示のように、現像バイアス値が同じであっても、現像剤塗布量が異なるとそれに応じて現像特性が異なってくる。具体的には、現像剤塗布量が多くなるほど、１００［％］近くの現像率を得るためにより高い現像バイアス値が必要になる。図示の例においては、現像バイアス値が５００［Ｖ］以上に設定されれば、０．７、１．０［ｍｇ／ｃｍ２］の何れの現像剤塗布量でも１００［％］近くの現像率を実現することができる。換言すれば、５００［Ｖ］以上であれば、何れのアニロクスローラが使用されたとしても、１００［％］近くの現像率を実現することができる。しかしながら、現像剤塗布量が０．７［ｍｇ／ｃｍ２］である場合、即ち第１アニロクスローラ（１０４ａ）だけが塗布動作を行う場合には、４００［Ｖ］程度の現像バイアス値で十分である。それにもかかわらず５００［Ｖ］の現像バイアスを上記現像ローラ（１０７）に印加してしまうと、エネルギーを無駄に消費してしまうことになる。
【００４５】
図１１は、上記制御部（２００）によって実施される紙種情報変更制御のフローを示すフローチャートである。このフローチャートにおいて、Ｓ２までの制御は図６に示したものと同様である。但し、Ｓ２において「コート紙」であると判断されると（Ｓ２でＹ）、上記第２接離ソレノイド（１１４）がＯＦＦ設定された後（Ｓ３）、上記第１接離ソレノイド（１１３）がＯＮ設定される（Ｓ４）。そして、現像バイアス値が４００［Ｖ］に設定された後（Ｓ５）、一連の制御フローが終了する。このようにして制御フローを終えた上記制御部（２００）は、それ以降、図示しない主電源がＯＮされている限り、上記第１接離ソレノイド（１１３）をＯＮするとともに、上記第２接離ソレノイド（１１４）をＯＦＦする。更に、現像動作中には、５００［Ｖ］よりも低い４００［Ｖ］の現像バイアスを上記現像ローラ（１０７）に印加させる。よって、以降の画像形成プロセスにおいて、２つのアニロクスローラのうち、上記第１アニロクスローラ（１０４ａ）だけが塗布動作を行って、液体現像剤を０．７［ｍｇ／ｃｍ２］の塗布量で上記現像ローラ（１０７）に塗布する。更に、上記現像ローラ（１０７）に４００［Ｖ］の現像バイアスが印加されながら現像動作が行われる。このような現像バイアスの印加では、先に図９に示したように、１００［％］近い現像率を実現しながら、必要以上に現像バイアス値を高くすることによる無駄なエネルギー消費を回避することができる。
【００４６】
一方、上記Ｓ２において、変更後の紙種情報が「コート紙」でないと判断されると（Ｓ２でＮ）、上記第１接離ソレノイド（１１３）がＯＦＦ設定された後（Ｓ６）、上記第２接離ソレノイド（１１４）がＯＮ設定される（Ｓ７）。そして、現像バイアス値が５００［Ｖ］に設定された後（Ｓ８）、一連の制御フローが終了する。このようにして制御フローを終えた上記制御部（２００）は、それ以降、図示しない主電源がＯＮされている限り、上記第１接離ソレノイド（１１３）をＯＦＦするとともに、上記第２接離ソレノイド（１１４）をＯＮする。更に、現像動作中には、５００［Ｖ］の現像バイアスを上記現像ローラ（１０７）に印加させる。よって、以降の画像形成プロセスにおいて、２つのアニロクスローラのうち、上記第２アニロクスローラ（１０４ｂ）だけが塗布動作を行って、液体現像剤を１．０［ｍｇ／ｃｍ２］の塗布量で上記現像ローラ（１０７）に塗布する。更に、上記現像ローラ（１０７）に５００［Ｖ］の現像バイアスが印加されながら現像動作が行われる。このような現像バイアスの印加では、図９に示したように、１．０［ｍｇ／ｃｍ２］の現像剤塗布量であっても、１００［％］近い現像率を実現することができる。このことにより、現像剤塗布量に見合った十分な値の現像バイアスが供給されないことによる現像率の低下が回避される。
【００４７】
以上の構成の本変形例装置においては、上記第１アニロクスローラ（１０４ａ）、第２アニロクスローラ（１０４ｂ）、ローラ接離機構（各接離ソレノイドを含む）等が量調整手段として機能している。また、上記制御部（２００）が、現像電圧供給手段たる上記現像バイアス電源回路（２０３）からの出力電圧値を制御する電圧制御手段としても機能している。そして、２つのアニロクスローラの切替作動によって現像剤塗布量を調整することで、アニロクスローラの回転速度変化だけで現像剤塗布量を調整する場合に比べ、より広範囲の調整を行うことが可能になる。
【００４８】
なお、アニロクスローラの切替作動と、アニロクスローラの回転速度変化とを併用してもよい。そうすると、現像剤塗布量を更に広範囲に調整することが可能になる。また、２つのアニロクスローラ（１０４ａ、１０４ｂ）を切替作動させる例について説明したが、３つ以上のアニロクスローラを切替作動させるようにしてもよい。このようにしても、現像剤塗布量を更に広範囲に調整することが可能になる。また、アニロクスローラではなく、上記現像器（１０９）を切替作動させるようにしてもよい。具体的には、上記現像器（１０９）として、互いに単位面積あたりの現像剤塗布量の異なるアニロクスローラ１０４を有する複数のものを設ける。更に、上記紙種情報に基づいて、それぞれの現像器（厳密には現像器の現像ローラ）を上記感光体（１）に対して個別に接離させる現像器接離機構も設ければよい。但し、この場合、複数の現像器（１０９）を設けることで、プリンタを大型化することに加えて、プリンタ本体をコスト高にしてしまう。
【００４９】
これまで、各実施形態のプリンタや変形例装置を示しながら、剤塗布部材としてローラ方式のアニロクスローラを用いた例について説明したが、塗布ベルトなど他の方式のものを用いてもよい。または、塗布部材による塗布方式ではなく、スプレー方式などの他の方式によって液体現像剤を上記現像ローラ（１０７）に供給させるようにしてもよい。また、潜像担持体としてベルト方式の感光体１を設けた例について説明したが、感光体ベルトなど、他の方式のものを用いてもよい。また、現像部材として現像ローラ１０６を設けた例について説明したが、現像ベルトなど、ローラ方式とは異なる現像剤担持体を設けてもよい。また、種類情報取得手段が種類情報入力手段たる上記操作タッチパネル（２０１）である例について説明したが、上記給紙カセットに収容されている転写紙の紙種情報を何らかの方法によって判別する種類判別手段であってもよい。更には、アニロクスローラの切替作動ではなく、他の方法によって上記現像ローラ（１０７）に対する現像剤塗布量を調整させるようにしてもよい。
【００５０】
以上、第１実施形態のプリンタにおいては、上記操作タッチパネル（２０１）によって取得した上記紙種情報に基づいて、ユーザーに対して上記現像器（１０９）の交換作業を促し得る情報を報知している。かかる構成では、ユーザーに対して上記アニロクスローラ（１０４）の着脱という非常に厄介な作業を負わせることなく、使用される転写紙の種類が変わることによる画質変化を抑えることができる。
また、第２実施形態のプリンタや変形例装置においては、種類情報取得手段として、上記操作タッチパネル（２０１）や紙種判別手段（２０６）を備えている。更に、上記ローラ接離機構等からなる量調整手段、量調整制御手段たる上記制御部（２００）なども備えている。かかる構成では、上記第１実施形態のプリンタとは異なり、ユーザーに対して現像器やアニロクスローラの着脱という厄介な作業を負わせることなく、使用される転写紙の種類が変わることによる画質変化を抑えることができる
また、これらにおいては、上記現像器（１０９）が、剤塗布部材たる上記アニロクスローラ（１０４）と、その表面に担持された現像剤薄層の層厚を規制する規制部材たる上記規制ブレード（１０５）とを有している。そして、このアニロクスローラ（１０４）は、その表面に液体現像剤を保持するための複数の上記凹部（Ｃｐ）を有している。かかる構成では、上記アニロクスローラ（１０４）の表面に担持される液体現像剤の量を、複数の凹部（Ｃｐ）の容量に応じた値に正確に計量することができる。そして、このことにより、上記現像ローラ（１０７）への現像剤塗布量を正確に計量することができる。
また、第２実施形態のプリンタにおいては、剤塗布部材の表面移動速度であるアニロクスローラ回転速度を変化させることで、上記現像ローラ（１０７）に対する現像剤供給量（現像剤塗布量）を調整している。かかる構成では、上記ローラ接離機構や現像器接離機構といった機構を設けてプリンタの構成を複雑にすることなく、紙種情報に応じて現像剤塗布量を調整することができる。
また、変形例装置においては、互いに単位面積あたりにおける現像剤塗布量の異なる複数の上記アニロクスローラ（１０４）を有している。そして、これらのアニロクスローラ（１０４）を切替作動させて現像剤塗布量を調整している。かかる構成では、アニロクスローラの回転速度変化だけで現像剤塗布量を調整する第１実施形態のプリンタに比べて、現像剤塗布量をより広範囲に調整することができる。
また、変形例装置においては、互いに現像剤塗布量の異なるアニロクスローラとして、それぞれ互いに単位面積あたりの溝線パターン形成密度の異なる第１アニロクスローラ１０４ａ、第２アニロクスローラ１０４ｂを備えている。かかる構成では、互いに凹部深さの異なる複数のアニロクスローラを備えるものに比べ、アニロクスローラの高速回転領域における塗布効率の低下を抑えることができる。
また、変形例装置においては、種類情報取得手段として、種類判別手段である上記紙種判別手段（２０６）を備えている。かかる構成では、ユーザーに対して紙種情報を入力させるといった手間を負わせることなく、紙種に応じて現像剤塗布量を調整することができる。
また、第１実施形態や第２実施形態のプリンタにおいては、種類情報取得手段として、種類情報入力手段たる上記操作タッチパネル（２０１）を備えている。かかる構成では、平滑性の度合いや紙繊維密度などといったセンサでは検知することのできないきめ細かい紙種情報でも取得することができる。そして、このことにより、上記紙種判別手段（２０６）によってのみ紙種情報を取得する場合に比べて、よりきめ細かい紙種の変化に対応することができる。
また、変形例装置においては、現像電圧供給手段たる上記現像バイアス電源回路２０５と、これからの出力電圧値を上記紙種判別手段（２０６）による判別結果に基づいて制御する電圧制御手段たる上記制御部（２００）とを備えている。かかる構成では、アニロクスローラによる現像剤塗布量を変化させることによる現像率の低下や、無駄なエネルギー消費を回避することができる。
【００５１】
【発明の効果】
請求項１、２、３、４、５、６、７、８、９又は１０の発明によれば、使用される記録体の種類が変わることによる画質変化を抑えることができるという優れた効果がある。
【図面の簡単な説明】
【図１】第１実施形態に係るプリンタの要部を示す概略構成図。
【図２】（ａ）は同プリンタのアニロクスローラを示す平面図。
（ｂ）から（ｄ）はそれぞれ同アニロクスローラの凹部を示す模式図。
【図３】同プリンタの電気回路の一部を示すブロック図。
【図４】同プリンタの制御部によって実施される紙種情報変更制御のフローを示すフローチャート。
【図５】第２実施形態に係るプリンタの電気回路の一部を示すブロック図。
【図６】同プリンタの制御部によって実施される紙種情報変更制御のフローを示すフローチャート。
【図７】互いに凹部の深さが異なる２つのアニロクスローラＡ，Ｂの回転速度と、現像剤塗布量との関係を示すグラフ。
【図８】同プリンタの変形例装置における現像器と感光体とを示す要部構成図。
【図９】同変形例装置の電気回路の一部を示すブロック図。
【図１０】同変形例装置の現像器の現像特性を示すグラフ。
【図１１】同変形例装置の制御部によって実施される紙種情報変更制御のフローを示すフローチャート。
【符号の説明】
１　　　　　　　　感光体（潜像担持体）
１０４　　　　　　アニロクスローラ（剤塗布部材）
１０５　　　　　　ブレード（規制部材）
１０７　　　　　　現像ローラ（現像部材）
１０９　　　　　　現像器（現像手段）
２００　　　　　　制御部（調整制御手段及び電圧制御手段）
２０１　　　　　　操作タッチパネル（種類情報入力手段及び情報報知手）
２０５　　　　　　現像バイアス電源回路（現像電圧供給手段）
２０６　　　　　　紙種判別手段（種類判別手段）
Ｃｐ　　　　　　　凹部
【図１】
2004029615.tif 000005
【図２】
2004029615.tif 000006
【図３】
2004029615.tif 000007
【図４】
2004029615.tif 000008
【図５】
2004029615.tif 000009
【図６】
2004029615.tif 000010
【図７】
2004029615.tif 000011
【図８】
2004029615.tif 000012
【図９】
2004029615.tif 000013
【図１０】
2004029615.tif 000014
【図１１】
2004029615.tif 000015